(57)【要約】【課題】  引出式の車両用テーブル装置において、テーブル板を略水平状をなす使用位置に安定よく支持することができると共にテーブル板の上面全域をテーブル面として使用することができる車両用テーブル装置を提供する。【解決手段】  収納ケース体１０の収納空間１１に対しテーブル板４１がテーブル支持機構４２によって支持されかつ案内機構７０によって出し入れ可能に収納される。テーブル支持機構４２は、案内機構７０によって移動案内される可動支持脚５０と、この可動支持脚５０の上端部に回動可能に装着されかつテーブル板４１の下面を支持するテーブルベース４３と、可動支持脚５０とテーブルベース４３との間に装着された保持部材６０と、を備える。テーブル板４１が可動支持脚５０と共に引出端位置まで引き出された後、一方向へ所定角度回動されることで保持部材６０によって支持された状態で略水平状をなす使用位置に配置切換可能に構成されている。【選択図】        図１２
2007190996.tif 000002
【特許請求の範囲】
【請求項１】
収納ケース体の収納空間に対しテーブル板がテーブル支持機構によって支持されかつ案内機構によって出し入れ可能に収納された車両用テーブル装置であって、
前記テーブル支持機構は、前記案内機構によって移動案内される可動支持脚と、この可動支持脚の上端部に回動可能に装着されかつ前記テーブル板の下面を支持するテーブルベースと、前記可動支持脚と前記テーブルベースとの間に装着された保持部材と、を備え、
前記テーブル板が前記可動支持脚と共に引出端位置まで引き出された後、一方向へ所定角度回動されることで前記保持部材によって支持された状態で略水平状をなす使用位置に配置切換可能に構成されていることを特徴とする車両用引出装置。
【請求項２】
請求項１に記載の車両用引出装置であって、
保持部材は、テーブルベースと可動支持脚とのうち、一方の部材に一端部が回動可能に連結され、他端部が他方の部材に移動可能に連結され、かつテーブル板が可動支持脚と共に引出端位置まで引き出された後、一方向へ所定角度回動されて使用位置に配置切換されたときに斜めの支持状態をなしかつこれ以上の一方向への回動を阻止するように構成されていることを特徴とする車両用引出装置。
【請求項３】
請求項１又は２に記載の車両用引出装置であって、
テーブル板はテーブルベースに旋回可能に装着されていることを特徴とする車両用引出装置。
【発明の詳細な説明】
【技術分野】
【０００１】
この発明は引出式の車両用テーブル装置に関する。
【背景技術】
【０００２】
この種の引出式の車両用テーブル装置において、収納部側に形成された収納空間の出入口からテーブル板が所定の引出端位置まで引き出されることで略水平状をなす使用位置に配置され、テーブル板を使用しないときには収納空間内に収納されるように構成されたものが知られている。
また、引出式の車両用テーブル装置において、テーブル板が略水平状をなす使用位置に配置されたときに、テーブル板の根元部側が収納部側の収納空間の出入口近傍に片持ち状態で支持されたものが知られている（例えば、特許文献１参照）。
【特許文献１】特開平１０−２６４７０４号公報
【発明の開示】
【発明が解決しようとする課題】
【０００３】
ところで、前記した従来の車両用テーブル装置においては、テーブル板が略水平状をなす使用位置に配置されたときにテーブル板は、その根元部側が収納部側の収納空間の出入口近傍に片持ち状態で支持され、先端部が自由状態となって突出する。このため、テーブル板の支持が不安定となり、重量の重い物品を安定よく載置して使用することができない場合がある。
また、テーブル板の支持力を高めるために、テーブル板の根元部側を収納部側に比較的深く挿入した状態でテーブル板を支持することが考えられるが、この場合にはテーブル板のテーブル面積が小さくなる不具合が生じる。
【０００４】
この発明の目的は、前記問題点に鑑み、引出式の車両用テーブル装置において、テーブル板を略水平状をなす使用位置に安定よく支持することができると共にテーブル板の上面全域をテーブル面として使用することができる車両用テーブル装置を提供することである。
【課題を解決するための手段】
【０００５】
前記目的を達成するために、この発明の請求項１に係る車両用テーブル装置は、収納ケース体の収納空間に対しテーブル板がテーブル支持機構によって支持されかつ案内機構によって出し入れ可能に収納された車両用テーブル装置であって、
前記テーブル支持機構は、前記案内機構によって移動案内される可動支持脚と、この可動支持脚の上端部に回動可能に装着されかつ前記テーブル板の下面を支持するテーブルベースと、前記可動支持脚と前記テーブルベースとの間に装着された保持部材と、を備え、
前記テーブル板が前記可動支持脚と共に引出端位置まで引き出された後、一方向へ所定角度回動されることで前記保持部材によって支持された状態で略水平状をなす使用位置に配置切換可能に構成されていることを特徴とする。
【０００６】
前記構成において、収納ケース体の収納空間に収納されたテーブル板を使用する場合、まず、テーブル板と共に可動支持脚が引出端位置まで上方に引き出される。引き続いて、可動支持脚の上端部に対しテーブルベースと共にテーブル板が一方向へ所定角度回動されることで略水平状をなす使用位置に配置切換される。
使用位置に配置されたテーブル板は保持部材によって安定よく支持されるため、テーブル面上に物品を安定よく載置して使用することができる。
また、可動支持脚の上端部に対しテーブルベースと共にテーブル板が一方向へ所定角度回動されることで略水平状をなす使用位置に配置切換される構造上、テーブル板の上面全域をテーブル面として使用することができる。
【０００７】
請求項２に係る車両用テーブル装置は、請求項１に記載の車両用引出装置であって、
保持部材は、テーブルベースと可動支持脚とのうち、一方の部材に一端部が回動可能に連結され、他端部が他方の部材に移動可能に連結され、かつテーブル板が可動支持脚と共に引出端位置まで引き出された後、一方向へ所定角度回動されて使用位置に配置切換されたときに斜めの支持状態をなしかつこれ以上の一方向への回動を阻止するように構成されていることを特徴とする。
【０００８】
前記構成において、テーブル板が使用位置へ配置切換されると、保持部材は、その一端部がテーブルベースと可動支持脚とのうちの一方の部材に対し回動しながら同保持部材の他端部が他方の部材に沿って移動し、これによって、保持部材が斜めの支持状態をなす。そして、斜めの支持状態をなす保持部材によってテーブル板と共にテーブルベースをこれ以上の一方向へ回動することを阻止することができ、テーブル板を使用位置に安定よく保持することができる。
【０００９】
請求項３に係る車両用テーブル装置は、請求項１又は２に記載の車両用引出装置であって、
テーブル板はテーブルベースに旋回可能に装着されていることを特徴とする。
【００１０】
前記構成において、テーブルベースに対しテーブル板を所望とする状態に旋回して使用することができ使い勝手の向上を図ることができる。
例えば、テーブル板が長方形に形成された場合、テーブル板を使用しやすい向きに旋回することが可能となる。
【発明を実施するための最良の形態】
【００１１】
次に、この発明を実施するための最良の形態を実施例にしたがって説明する。
【実施例１】
【００１２】
図１はこの発明の実施例１の車両用テーブル装置のテーブル板が収納された状態を示す斜視図である。図２は車両用テーブル装置の平断面図である。図３は図２のＩＩＩ−ＩＩＩ線に基づく車両用テーブル装置の側断面図である。図４は図２のＩＶ−ＩＶ線に基づく車両用テーブル装置の側断面図である。図５は図２のＶ−Ｖ線に基づく車両用テーブル装置の側断面図である。図６は可動カバー体の連動機構を分解して示す斜視図である。図７は収納ケース体のケース本体と可動支持脚及びテーブルベースによって支持されたテーブル板の関係を分離して示す斜視図である。図８は可動支持脚と共にテーブル板が引出端位置まで引き出された状態を示す破断して示す側面図である。図９は可動支持脚のロック部材と収納ケース体側のロック孔がロック解除された状態を示す図８のＩＸ−ＩＸ線に基づく平断面である。図１０はテーブルステーのカム溝と後退位置にあるロック部材の摺動ピンとの関係を示す斜視図である。図１１はテーブルステーのカム溝と前進位置にあるロック部材の摺動ピンとの関係を示す斜視図である。図１２はテーブル板が使用位置まで回動された状態を示す破断して示す側面図である。図１３は可動支持脚のロック部材が前進して収納ケース体側のロック孔に係合したロック状態を示す図１２のＸＩＩＩ−ＸＩＩＩ線に基づく平断面である。図１４は可動支持脚と共にテーブル板が引出端位置まで引き出された状態を示す側断面図である。図１５はテーブルベース、ロックアーム、ロック解除操作部材の関係を示す斜視図である。図１６は引出端位置のテーブル板が使用位置まで回動される途中を示す側断面図である。図１７は使用位置に配置切換されたときの可動支持脚、テーブル板、テーブルベース、ロックアーム、ロック解除操作部材の関係を示す側断面図である。図１８はテーブル板のロック解除許容部とロック解除操作部材のロック解除阻止片の関係を示すテーブル板の平面図である。
【００１３】
図１〜図３に示すように、車両用テーブル装置の本体部を構成する収納ケース体１０は、例えば、車室内のフロア上面に設置され、テーブル板４１を出入可能に収納するための収納空間１１が上方に開口して形成されている。この実施例において、収納ケース体１０は、ケース本体１２と支持壁２０とを主体として構成され、収納空間１１の一側壁をなすケース本体１２の壁部１３と対向する反対側に支持壁２０が固定状態で設けられている。
また、図３に示すように、収納空間１１の一側壁をなす壁部１３の上端部の高さＨ１に対し、支持壁２０の上端の高さＨ２は、約半分〜３分の１程度低く設定されている。そして、支持壁２０の外側部には、収納空間１１の一側壁をなす壁部１３と反対側の壁を支持壁２０と協働して構成する可動カバー体３０がテーブル板４１の出し入れ方向と逆方向へ移動可能に装着されている。すなわち、可動カバー体３０は、支持壁２０の高さＨ２を補いかつ支持壁２０の外側を覆うようにして設けられている。
【００１４】
この実施例において、図２に示すように、支持壁２０の両端部には、可動カバー体３０に対応するカバー案内溝２１が形成され、可動カバー体３０の幅方向両端部には、カバー案内溝２１に沿ってスライド可能に挿入されるたスライド体３１が配設されている。
そして、カバー案内溝２１とスライド体３１によって、支持壁２０に対し可動カバー体３０が移動可能に装着されるようになっている。なお、支持壁２０の外側方下部には、可動カバー体３０の移動を許容する空間部を隔てて下カバー体３５が必要に応じて固定されている。
【００１５】
図２、図３及び図１２に示すように、テーブル板４１は、可動支持脚５０、テーブルベース４３及びテーブルステー（この発明の保持部材に相当する）６０を備えたテーブル支持機構４２によって支持されかつ案内レール７１と摺動体７２とを備えた案内機構７０によって収納空間１１に出入可能に収納されている。
すなわち、この実施例において、案内機構７０の案内レール７１は、収納空間１１の一側壁をなすケース本体１２の壁部１３の幅方向中央部に設けられた突部１３ａに沿って上下方向に延びて設けられる一方、案内レール７１に沿って移動可能に組み付けられる摺動体７２は可動支持脚５０の下部に固定されている。
そして、可動支持脚５０は、ケース本体１２の壁部１３に案内レール７１と摺動体７２によってに移動可能に支持されている。この可動支持脚５０の上端部には、連結軸５１によってテーブルベース４３がその一端部において回動可能に連結されている。
【００１６】
テーブルベース４３の一側面（図１２に示す使用状態では上面）にはテーブル板４１が取り付けられている。そして、テーブル板４１は、そのテーブルベース４３と共に、可動支持脚５０の一側面に沿って延びる出入姿勢から略水平状をなす使用位置まで連結軸５１を支点として回動されるようになっている。
また、可動支持脚５０とテーブルベース４３との間には、一端部がテーブルベース４３にピン６１によって連結され、他端部がピン６２と長孔６３によって可動支持脚５０に連結されたテーブルステー６０が装着されている。そして、テーブル板４１が略水平状をなす使用位置に配置されたときには、可動支持脚５０とテーブルベース４３との間でテーブルステー６０が斜めの状態をなしてテーブル板４１を略水平状をなす使用位置に支持するようになっている。
【００１７】
また、この実施例において、図３に示すように、収納ケース体１０のケース本体１２の上端部に装着された物品組付体１５には、テーブル板４１を収納位置に係脱可能に保持するための係止部材２５が進退可能に配置されている。
この実施例において、係止部材２５は、テーブル板４１のテーブルベース４３の所定位置（この実施例ではテーブルベース４３の下面を覆って装着されたベースカバー４３ａの下面）に設けられた係合部４８に係脱可能に係合する係止部２６と、この係止部２６がテーブルベース４３の係合部４８から外れる後退方向に手動操作するための操作部２７とを備えている。そして、係止部材２５は、常にはばね２８によって係止部２６がテーブルベース４３の係合部４８に係合する前進方向に付勢されている。
なお、係止部材２５の係止部２６の先端部上面とテーブルベース４３の係止部４８の下面には、相互に接触して係止部材２５をばね２８の付勢力に抗して後退させる傾斜状の案内面２６ａ、４８ａがそれぞれ形成されている。
【００１８】
図３に示すように、収納ケース体１０の支持壁２０には、テーブル板４１を可動支持脚５０と共に所定の引出位置まで押し出す押出機構８０が設けられている。
押出機構８０は、可動支持脚５０の下端部５２を接離可能に受ける受け部８２を下端部に有する四角板状の押出体８１と、この押出体８１を押出方向に付勢する付勢手段とを備えている。
【００１９】
図２に示すように、支持壁２０の両端部には、押出体８１に対応する押出体案内溝２２が形成され、押出体８１の幅方向両端部には、押出体案内溝２２に沿ってスライド可能に挿入されるスライド体８３が配設されている。
そして、押出体案内溝２２とスライド体８３によって、支持壁２０に対し押出体８１が移動可能に装着されるようになっている。
また、付勢手段としては、回転トルクが一定のコンストンスプリング８６が用いられている。すなわち、図３に示すように、支持壁２０の上部に固定されたスプリングケース８７内は帯板状のコンストンスプリング８６が引出可能に巻回され、そのコンストンスプリング８６の先端部に押出体８１が連結されている。
そして、係止部材２５がその操作部２７によってばね２８の付勢力に抗して後退され、係止部材２５の係止部２６がテーブルベース４３の係合部４８から外されることで、押出体８１がコンストンスプリング８６の付勢力によって上昇され、これによって、図７と図８に示すように、可動支持脚５０と共にテーブル板４１が収納位置と引出端位置との中間に位置する中間引出位置まで押し出されるようになっている。
【００２０】
また、この実施例において、図３に示すように、テーブル板４１、テーブルベース４３及び可動支持脚５０は、これらの荷重に対応する付勢力を持ち、かつ回転トルクが一定のコンストンスプリングによって構成されたテーブルバランス支持機構９０によって支持されている。すなわち、この実施例において、テーブルバランス支持機構９０はコンストンスプリングによって構成されている。このコンストンスプリングのスプリングケース９１はケース本体１２の下部内面に固定され、そのスプリングケース９１から引出可能に巻回された連結ワイヤ９３がケース本体１２の壁部１３の上部に配設されたローラ９４に掛け渡され、その連結ワイヤ９３の先端部９３ａが可動支持脚５０の下部５０ａに連結されている（図７参照）。
そして、スプリングケース９１内に巻回されて収納されたコンストンスプリング（図示しない）によって連結ワイヤ９３が巻き取り方向に付勢されることで、テーブル板４１、テーブルベース４３及び可動支持脚５０の荷重がバランスされて支えられるようになっている。
【００２１】
図２〜図６に示すように、テーブル板４１と可動カバー体３０との間には、テーブル板４１が引き出されたときに可動カバー体３０をテーブル板４１の引出方向とは逆方向へ移動させて可動カバー体３０の先端高さを低くし、テーブル板４１が元の収納位置に押し込まれたときに可動カバー体３０をテーブル板４１の押込方向とは逆方向へ移動させて可動カバー体３０を元の高さに戻す連動機構１００が設けられている。
この実施例において、連動機構１００は、押出体８１と、可動カバー体３０との間に配設された作動ラック１０１、ピニオン軸１０３、第１のピニオン１０４、第２のピニオン１０５及び従動ラック１０６を備えて構成されている。
【００２２】
すなわち、図２と図６に示すように、支持壁２０の中間高さ位置には、水平方向のピニオン軸１０３が軸受け１０２によって回転可能に取り付けられており、このピニオン軸１０３の中央部には、第１のピニオン１０４がトルク伝達可能に設けられ、同ピニオン軸１０３の両端部には第２のピニオン１０５がトルク伝達可能に設けられている。そして、図４と図６に示すように、押出体８１の一側面の上下方向には、第１のピニオン１０４に噛み合う作動ラック１０１が設けられる一方、可動カバー体３０の内面の幅方向両側部には、第２のピニオン１０５に噛み合う従動ラック１０６が設けられている。
また、この実施例において、テーブル板４１の引出量、すなわち、押出体８１の押出量に対する可動カバー体３０の逆方向の移動量が例えば２倍となるように、第１のピニオン１０４と第２のピニオン１０５との歯車比が１：２に設定されている。また、第１のピニオン１０４と第２のピニオン１０５との歯車比は適宜好適な数値により設定可能である。
【００２３】
図７〜図９に示すように、可動支持脚５０には、同可動支持脚５０を引出端位置にロックするために収納ケース体１０側、この実施例ではケース本体１２の部品組付体１５に設けられたロック部としてのロック孔１５１にロック並びにロック解除方向に進退可能なロック部材１５０が設けられている。
この実施例において、図９に示すように、可動支持脚５０には、その摺動体７２の左右両側部においてロック部材１５０に対応する組付孔５５が形成され、これら両組付孔５５に左右の両ロック部材１５０がそれぞれ進退可能に組み付けられている。
【００２４】
図７〜図９に示すように、ロック部材１５０とテーブルステー６０との間には、引出端位置に引き出されたテーブル板４１が連結軸５１を支点として所定角度回動されて略水平状をなす使用位置に配置切換される回動動作に連動してロック部材１５０を収納ケース体１０側のロック孔１５１に係合するロック位置まで前進させ、テーブル板４１が使用位置から元の出入姿勢に回動される動作に連動してロック部材１５０を収納ケース体１０側のロック孔１５１から外れるロック解除位置まで後退させるロック作動機構１６０が設けられている。
このロック作動機構１６０は、作動部材１６１と、この作動部材１６１とロック部材１５０との間に設けられた連動カム機構１７０を備えて構成されている。
【００２５】
図８と図９に示すように、作動部材１６１は、テーブルステー６０の他端部にピン６２と同一中心線上に配置された連結軸（図示しない）によって連結されかつ可動支持脚５０に形成されら案内部によって可動支持脚５０に沿って移動可能に組み付けられている。
そして、作動部材１６１とロック部材１５０との間に、同ロック部材１５０をロック位置とロック解除位置との間で進退させる連動カム機構１７０が配設されている。この連動カム機構１７０は、図１０と図１１に示すように、作動部材１６１に形成されたカム溝１７１と、ロック部材１５０に一体状に設けられかつカム溝１７１に沿って移動案内されてロック部材１５０を進退させる摺動ピン１７４とを備えて構成されている。
【００２６】
図１４〜図１７に示すように、可動支持脚５０と  テーブルステー６０との間には、テーブル板４１が使用位置に配置されたときに  テーブル板４１の戻り方向（逆方向）の回動を阻止して同テーブル板４１を使用位置にロックする使用位置ロック機構１８０が設けられている。
この実施例において、使用位置ロック機構１８０は、ロックアーム１８１と付勢手段１８５とを備えて構成されている。
ロックアーム１８１は、根元部においてテーブルステー６０の下部近傍に軸１８２を中心として回動可能に装着されている。また、図１５と図１７に示すように、ロックアーム１８１は、その根元部近傍から先端にわたって二股状に形成され、その二股の先端部には可動支持脚５０の上端部に形成された鉤形状のロック部１８４に係脱可能に係合してテーブル板４１の戻り方向の回動を阻止する阻止部１８３が、テーブルベース４３の下面に接して滑走可能に円弧状に形成されている。また、ロックアーム１８１の二股の阻止部１８３の対向面には、次に述べるロック解除操作部材１９０の係合部１９２に係合可能なピン状の係合部１８４が対向状に突設されている。
【００２７】
ロックアーム１８１を、その阻止部１８３がロック部１８４に係合するロック方向に付勢するための付勢手段１８５としては、例えば、ロックアーム１８１の回動中心をなす軸１８２の回りにばね（コイルスプリング）１８６を巻回し、そのばね１８６の一端部をロックアーム１８１に掛け止めし、他端部をテーブルステー６０に掛け止めして構成するこができる。
【００２８】
図１５〜図１７に示すように、テーブルベース４３の下面を覆って取り付けられたベースカバー４３ａの内面には、ロックアーム１８１を付勢手段１８５の付勢に抗してロック解除方向へ移動操作するためのロック解除操作部材１９０が移動操作可能に組み付けられている。
このロック解除操作部材１９０は長尺に形成され、長手方向の一端部寄り部分において、ベースカバー４３ａの内面に突設された一対の支持部４３ｂの間にピン１９５と長孔１９６によって移動案内されて組み付けられている。また、ロック解除操作部材１９０の長手方向の一端部には操作部１９１が形成され、この操作部１９１はベースカバー４３ａに切り欠き状に形成された開口部４３ｃから突出して操作可能とされている。
ロック解除操作部材１９０の長手方向の他端部は、ロックアーム１８１の二股の阻止部１８３の間に向けて延びており、その先端部にはロックアーム１８１の阻止部１８３の係合部１８４に接離可能に係合する係合部１９２が形成されている。
そして、ロック解除操作部材１９０を、その操作部１９１において、図１７に向かって右方向へ移動操作することで、ロックアーム１８１が付勢手段１８５の付勢力に抗してロック解除方向へ移動されるようになっている。
【００２９】
また、この実施例において、図１７と図１８に示すように、テーブル板４１は、長方形に形成され、その長手方向に一端部に取手部４１ａが形成されている。そして、テーブル板４１は、テーブルベース４３に対しベアリング１９８によって約１８０度の範囲内において旋回可能に装着される。さらに、テーブル板４１は、取手部４１ａを上向きにして収納ケース体１０の収納空間１１に出し入れされるようになっている。
また、図１７と図１８に示すように、テーブル板４１が使用位置に配置された状態において、テーブル板４１が所望とする方向に旋回されたときには、ロック解除操作部材１９０によるロックアーム１８１のロック解除を阻止し、元の姿勢に戻されたときに、ロック解除操作部材１９０によるロックアーム１８１のロック解除を許容するようになっている。
すなわち、この実施例において、テーブル板４１の下面には同テーブル板４１の旋回中心と同一中心をなす半円弧状凹部４７が形成され、その円弧状凹部４７の中央部にはロック解除操作部材１９０の操作を許容する許容部４８が形成される一方、ロック解除操作部材１９０には、半円弧状凹部４７に沿って相対的に移動可能な阻止片１９７が突設されている。そして、ロック解除操作部材１９０の阻止片１９７が半円弧状凹部４７の許容部４８に対応する位置に配置された状態において、ロック解除操作部材１９０のロック解除操作が許容され、テーブル板４１が所定方向に旋回されたときには、ロック解除操作部材１９０の阻止片１９７が許容部４８から外れた半円弧状凹部４７内に位置する。この状態でロック解除操作部材１９０をロック解除方向へ移動操作しようとすると、阻止片１９７が半円弧状凹部４７の壁面に当接し、これによってロック解除操作部材１９０のロック解除方向への操作が阻止されるようになっている。
【００３０】
この実施例に係る車両用テーブル装置は、上述したように構成される。
したがって、テーブル板４１を引き出して使用する場合、係止部材２５がその操作部２７によってばね２８の付勢力に抗して後退され、係止部材２５の係止部２６がテーブルベース４３の係合部４８から外される。
すると、押出体８１がコンストンスプリング８６の付勢力によって上昇され、この押出体８１の受け部８２によって可動支持脚５０の下端部が押し上げられる。これによって、可動支持脚５０と共にテーブル板４１が中間引出位置まで押し出される。
ここで、テーブル板４１がその一端縁に形成された取手部４１ａにおいて引出端位置まで引き出される。
【００３１】
図１２に示すように、可動支持脚５０に対しテーブルベース４３と共にテーブル板４１が連結軸５１を支点として所定角度回動されて略水平状をなす使用位置に配置切換されると、テーブルステー６０は、その一端部のピン６１を中心としてテーブル板４１に対し回動しながらテーブルステー６０の他端部がピン６２と長孔６３の案内作用によって可動支持脚５０に沿って移動する。そして、ピン６２が長孔６３の一端部に当接してテーブルステー６０が斜めの支持状態をなすことで、テーブル板４１のこれ以上の一方向への回動が阻止されて使用位置に保持される。
また、テーブルステー６０の移動と共に、作動部材１６１が可動支持脚５０の案内部に案内されながら下方に向けて押し下げられる。
すると、図１２と図１３に示すように、作動部材１６１の移動によってカム溝１７１に沿って摺動ピン１７４が移動される。これによってロック部材１５０が収納ケース体１０側の部品組付体１５のロック孔１５１に嵌合（係合）するロック位置まで前進される。そして、ロック部材１５０とロック孔１５１との係合力によって可動支持脚５０が引出端位置にロックされる。
このため、テーブル板４１を使用位置に配置して使用するときに、可動支持脚５０が収納ケース体１０の収納空間１１に不測に押し込まれることを防止することができる。
【００３２】
また、可動支持脚５０に対しテーブルベース４３と共にテーブル板４１が連結軸５１を支点として略水平状をなす使用位置に向けて回動される際、図１６に示すように、ロックアーム１８１は、その先端部の阻止部１８３が、テーブルベース４３の下面４３ｅに接して滑走しながら付勢手段１８５の付勢力によって軸１８２を中心としてロック方向に回動される。そして、図１７に示すように、テーブル板４１が使用位置へ配置切換されると、ロックアーム１８１先端部の阻止部１８３が可動支持脚５０上端部のロック部１８４に係合する。これによって、テーブル板４１の戻り方向（逆方向）の回動が阻止される。
【００３３】
前記したようにして、テーブル板４１が略水平状をなす使用位置に配置されたときには、テーブル板４１が保持部材としてのテーブルステー６０によって安定よく支持されるため、テーブル板４１の上面（テーブル面）に物品を安定よく載置して使用することができる。
また、可動支持脚５０の上端部に対し連結軸５１を中心としてテーブルベース４３と共にテーブル板４１が一方向へ所定角度回動されることで略水平状をなす使用位置に配置切換される構造上、テーブル板４１の上面全域をテーブル面として使用することができる。
また、この実施例において、テーブル板４１の一方向への回動をテーブルステー６０（ピン６２と長孔６３）によって阻止し、戻り方向への回動をロックアーム１８１によって阻止することができる。このため、車両走行時の振動等によってテーブル板４１が戻り方向へ回動されてガタツク不具合を防止することができ、テーブル板４１を水平状態で安定よく保持することができると共に、テーブル板４１上に物品を安定よく載置して使用することができる。
【００３４】
また、この実施例において、テーブル板４１は、テーブルベース４３に対しベアリング１９８によって約１８０度の範囲内において旋回して使用することができ、使い勝手に優れる。すなわち、この実施例において、テーブル板４１は長方形に形成されており、そのテーブル板４１を使用しやすい向きに旋回して使用することができる。なお、テーブルベース４３に対しテーブル板４１をベアリング１９８を用いることなく旋回可能に組み付けることも可能である。
【００３５】
テーブル板４１を収納ケース体１０の収納空間１１に収納する場合、ロック解除操作部材１９０を、その操作部１９１において、図１７に向かって右方向へ移動操作することで、ロックアーム１８１が付勢手段１８５の付勢力に抗してロック解除方向へ移動され、これによってテーブル板４１がロック解除される。
ここで、テーブル板４１が図１２と図１７に示す使用位置から図８と図１４に示す元の出入姿勢に向けて連結軸５１を支点として回動されて引出端位置に戻される。すると、テーブルステー６０は、一端部においてテーブル板４１に対しピン６１を中心として逆方向に回動されながら他端部がピン６２と長孔６３の案内作用によって可動支持脚５０に沿って元の位置まで上昇（移動）され、これによって、テーブルステー６０が元の状態に戻される。すると、連動カム機構１７０によってロック部材１５０がロック孔１５１から外れるロック解除位置まで後退され、これによって、収納ケース体１０に対し可動支持脚５０がロック解除される。
【００３６】
その後、テーブル板４１が可動支持脚５０と共に収納ケース体１０の収納空間１１に押し込まれて収納位置に配置されることで、係止部材２５の係止部２６がテーブルベース４３の係合部４８に係合し、これによってテーブル板４１、テーブルベース４３及び可動支持脚５０が元の収納位置に配置保持される。
【００３７】
なお、この発明は前記実施例に限定するものではない。
例えば、前記実施例において、案内機構７０が収納空間１１の一側壁をなすケース本体１２の壁部１３に設けられた案内レール７１と、可動支持脚５０に固定された摺動体７２によって構成される場合を例示したが、可動支持脚５０を収納空間１１に沿って出し入れ可能に案内できる構造であればどのように構成してもこの発明を実施することが可能である。
また、前記実施例においては、保持部材としてのテーブルステー６０の一端部がテーブルベース４３にピン６１によって連結され、他端部がピン６２と長孔６３によって可動支持脚５０に沿って移動可能に連結された場合を例示したが、テーブルステー６０の一端部がテーブルベース４３にピンと長孔によって移動可能に連結され、他端部がピンによって可動支持脚に回動可能に連結された場合においてもこの発明を実施することができる。
また、ロックアーム１８１と付勢手段１８５を主体として構成された使用位置ロック機構１８０は、必要に応じて設ければよく、使用位置ロック機構１８０がない構造であてもこの発明を実施することができる。
また、前記実施例においては、可動カバー体３０がテーブル板４１の出し入れ方向と反対方向へ移動可能に装着され、この可動カバー体３０の先端高さが変化されるように構成されたが、可動カバー体３０がない構造であってもこの発明を実施することができる。
【図面の簡単な説明】
【００３８】
【図１】この発明の実施例１の車両用テーブル装置のテーブル板が収納された状態を示す斜視図である。
【図２】同じく車両用テーブル装置の平断面図である。
【図３】同じく図２のＩＩＩ−ＩＩＩ線に基づく車両用テーブル装置の側断面図である。
【図４】同じく図２のＩＶ−ＩＶ線に基づく車両用テーブル装置の側断面図である。
【図５】同じく図２のＶ−Ｖ線に基づく車両用テーブル装置の側断面図である。
【図６】同じく可動カバー体の連動機構を分解して示す斜視図である。
【図７】同じく収納ケース体のケース本体と可動支持脚及びテーブルベースによって支持されたテーブル板の関係を分離して示す斜視図である。
【図８】同じく可動支持脚と共にテーブル板が引出端位置まで引き出された状態を示す破断して示す側面図である。
【図９】同じく可動支持脚のロック部材と収納ケース体側のロック孔がロック解除された状態を示す図８のＩＸ−ＩＸ線に基づく平断面である。
【図１０】同じくテーブルステーのカム溝と後退位置にあるロック部材の摺動ピンとの関係を示す斜視図である。
【図１１】同じくテーブルステーのカム溝と前進位置にあるロック部材の摺動ピンとの関係を示す斜視図である。
【図１２】同じくテーブル板が使用位置まで回動された状態を示す破断して示す側面図である。
【図１３】同じく可動支持脚のロック部材が前進して収納ケース体側のロック孔に係合したロック状態を示す図１２のＸＩＩＩ−ＸＩＩＩ線に基づく平断面である。
【図１４】同じく可動支持脚と共にテーブル板が引出端位置まで引き出された状態を示す側断面図である。
【図１５】同じくテーブルベース、ロックアーム、ロック解除操作部材の関係を示す斜視図である。
【図１６】同じく引出端位置のテーブル板が使用位置まで回動される途中を示す側断面図である。
【図１７】同じく使用位置に配置切換されたときの可動支持脚、テーブル板、テーブルベース、ロックアーム、ロック解除操作部材の関係を示す側断面図である。
【図１８】同じくテーブル板のロック解除許容部とロック解除操作部材のロック解除阻止片の関係を示すテーブル板の平面図である。
【符号の説明】
【００３９】
１０  収納ケース体
１１  収納空間
３０  可動カバー体
４１  テーブル板
４２  テーブル支持機構
４３  テーブルベース
５０  可動支持脚
５１  連結軸
６０  テーブルステー（保持部材）
【図１】
2007190996.tif 000003
【図２】
2007190996.tif 000004
【図３】
2007190996.tif 000005
【図４】
2007190996.tif 000006
【図５】
2007190996.tif 000007
【図６】
2007190996.tif 000008
【図７】
2007190996.tif 000009
【図８】
2007190996.tif 000010
【図９】
2007190996.tif 000011
【図１０】
2007190996.tif 000012
【図１１】
2007190996.tif 000013
【図１２】
2007190996.tif 000014
【図１３】
2007190996.tif 000015
【図１４】
2007190996.tif 000016
【図１５】
2007190996.tif 000017
【図１６】
2007190996.tif 000018
【図１７】
2007190996.tif 000019
【図１８】
2007190996.tif 000020